(57)【特許請求の範囲】
【請求項１】
給水栓エルボ保持部と、この保持部を後壁に取付けるための後壁取付け片と、保持部を底壁に取付けるための底壁取付け片とが合成樹脂により一体成形され、前記保持部は、左右側壁およびその下部を連結する連結部から前面視上開放コの字型に形成され、その開放部に給水栓エルボの少なくとも水平管部を保持可能とされ、前記後壁取付け片は、前記保持部の左右側壁の外側において後部に配置され、前記底壁取付け片は、前記左右側壁の外側において底部に配置され、後壁取付け片の下部と、底壁取付け片の後部とが連続して側面視Ｌ字型に成形された給水栓エルボ取付け具。
【請求項２】
前記保持部の前後方向長さは、後壁と前壁となる化粧板の内面との間に形成される空間の前後幅と同等寸法に設定され、前記保持部の前面が面一に形成されて化粧板の当たり壁とされたことを特徴とする請求項１記載の給水栓エルボ取付け具。
【請求項３】
前記保持部の左右側壁の上部前端が上方に延設され、該延設部を含む保持部の前面が化粧板と面接触可能な当たり壁とされたことを特徴とする請求項２記載の給水栓エルボ取付け具。
【請求項４】
前記保持部の左右側壁の上下方向で略中間位置に、前面から後退した凹部が形成され、該凹部の後壁に給水栓エルボのビス止め片を固定するためのビス止め孔が形成されたことを特徴とする請求項１〜３のいずれかに記載の給水栓エルボ取付け具。
【発明の詳細な説明】
【０００１】
【発明の属する技術分野】
本発明は、トイレ、洗濯場、洗面室、浴室等におけるモルタル壁等の後壁と、化粧板等の前面板との間の空間に配管される給水管のうち、コ−ナ−部に接続される給水栓エルボを壁内部に保持するための取付け具に関するものである。
【０００２】
【従来の技術】
一般に、この種の給水栓エルボ取付け具は、給水栓エルボの管径に合わせた切欠部を有し、その両端に、給水栓エルボのフランジをビス止めするビス止め部を備えた保持部と、この保持部をモルタル壁等の後壁に固定するための後壁取付け片と、壁間柱間に差し渡された幅木等に固定するための底壁取付け片とを備えている。
【０００３】
従来の取付け具は、製造コストの低減を図るため、概ね一枚の金属板をプレス加工等により折り曲げ成形して製造しているが、配管時に過大な負荷がかかるため、図６または図７に示すように、強度確保のための種々の工夫を施している。
【０００４】
図６に示す給水栓エルボ取付け具１は、金属板を平面視コの字状に折曲して保持部２を形成するとともに、その両端部をさらに外側に折曲して後壁取付け片３とし、また、保持部２の側面４の下端を外側に折曲して底壁取付け片５とし、平面視コの字状の保持部２により剛性を確保している。
【０００５】
図７に示す給水栓エルボ取付け具１は、金属板を側面視Ｌ字状に折曲して、後壁および底壁取付け片３、５を形成し、また、底壁取付け片５の中央部を切り起こして保持部２とし、さらに保持部２と後壁取付け片３との間に補強材６を介在させ、これをスポット溶接して保持部２を補強している。
【０００６】
【発明が解決しようとする課題】
しかしながら、図６に示す従来の給水栓エルボ取付け具は、一枚の金属板を折曲して形成しているため、後壁取付け片と底壁取付け片は構造上不連続となり、給水栓エルボの管軸周りの回転力が作用した場合に強度が劣っていた。
【０００７】
また、図７に示す給水栓エルボ取付け具では、補強材をスポット溶接する分、部品点数および作業工程が多くなり、コスト高となっていた。
【０００８】
さらに、いずれの従来例においても、化粧板との当たり壁について考慮されていないため、給水栓エルボに給水栓等を取付ける際に、外部から化粧板に力を加えると、化粧板が撓んでしまうという問題があった。
【０００９】
また、取付け具は、金属板を折曲して成形することから、給水栓エルボの安定的支持、重量面、さらには、錆の発生等、種々の問題があった。
【００１０】
【課題を解決するための手段】
本発明は、上記金属製取付け具の持つ種々の問題点を一挙に解決するために、取付け具を合成樹脂製として軽量化を図るとともに、洗濯場や洗面室等の湿気の多い環境で使用しても耐え得るようにしたものである。
【００１１】
加えて、合成樹脂を使用するが故に発生する強度上の問題も以下の手段により解消できるようにした。すなわち、本発明に係る給水栓エルボ取付け具は、給水栓エルボ保持部と、この保持部を後壁に取付けるための後壁取付け片と、保持部を底壁に取付けるための底壁取付け片とが合成樹脂により一体成形され、前記保持部は、左右側壁およびその下部を連結する連結部から前面視上開放コの字型に形成され、その開放部に給水栓エルボの少なくとも水平管部を保持可能とされ、前記後壁取付け片は、前記保持部の左右側壁の外側において、後部に配置され、前記底壁取付け片は、前記左右側壁の外側において、底部に配置され、後壁取付け片の下部と、底壁取付け片の後部とが連続して側面視Ｌ字型に成形された構成を採用した。
【００１２】
上記構成により、保持部の肉厚、長さや取付け片間の連続性は、樹脂成形により簡単に対応でき、取付け強度も確保することができる。
【００１３】
取付け具の材質は、合成樹脂製であるが、強度面を考慮すると、変性ＰＰＯ（変性ポリフェニレンオキサイド）が好適である。また、成形方法としては、注型成形、トランスファ成形等、種々の方法が採用できるが、射出成形法が好適に用いられる。
【００１４】
保持部は、その前後方向長さを壁間柱の前後幅、すなわち、後壁と前壁となる化粧板の内面との間に形成される空間の前後幅と同等寸法に設定すれば、保持部の側壁のうち、上部前端が化粧板への上部当たり壁となり、下部前端および連結部の前端が化粧板への下部当たり壁として機能することになる。勿論、この場合、底壁取付け片の前端は、保持部の前端と面一か、または後退した位置に設定される。底壁取付け片の前端を保持部前端と面一に設定すれば、それだけ下部当たり壁の面積が大きくなる。
【００１５】
また、側壁前端を上方に屈曲延設すれば、その分、上部当たり壁の面積が増大し、給水栓を取付ける際の化粧板の撓みを解消することができる。
【００１６】
通常、給水栓エルボには、その水平管部にビス止め片（フランジ）が張り出しており、このビス止め片の取付け穴にビスを通して保持部に固定する必要があるが、その場合のビス止め部は、左右側壁の一部を後退させて、ビス止め片を嵌め込む凹部を形成し、凹部の後壁にビス止め孔を形成すればよい。特に、ビス止め部を左右側壁の上下方向で略中間位置に形成すれば、ビス止め片が上下方向でも規制される。
【００１７】
また、連結部の上面を利用して、給水栓エルボの水平管部を支持する支持面とし、さらに、その上面後部を給水栓エルボの屈曲部の形状に合わせて傾斜した支持面を形成することにより、給水栓エルボの形状に合わせて強固に保持することができる。
【００１８】
【発明の実施形態】
以下、本発明の実施形態を図面に基づいて説明する。図１は、トイレ、洗濯場、洗面室、あるいは浴室等の給水配管構造を示す斜視図である。洗面室等の室壁構造は、モルタル壁あるいはコンクリ−ト壁である後壁４０に、壁間柱４１とこの間に水平に差し渡された幅木４２とが設けられ、この壁間柱４１および幅木４２の前面に、羽目板となる化粧板４３が配設されている。
【００１９】
洗面室等の給水配管は、間柱４１間に配設された縦給水管４４と、室内側の給水栓４７とを給水栓エルボ３０で連結するようになっており、給水栓エルボ３０は、取付け具１０により後壁４０および／または幅木４２に固定されるようになっている。
【００２０】
次に、給水栓エルボ取付け具１０の構成を説明する。図２は、給水栓エルボ取付け具１０の斜視図、図３は、取付け具１０の室壁設置構造を示す断面図である。図２において、給水栓エルボ取付け具１０は、変性ＰＰＯ（変性ポリフェニレンオキサイド）などのエンジニアリングプラスチックによる射出成形品であり、給水栓エルボ３０の水平管部３１を保持するための給水栓エルボ保持部１１と、この保持部１１の左右両端後部に配置された後壁取付け片１２と、保持部１１の左右両端底部に配置された底壁取付け片１３とが一体成形されてなるものである。
【００２１】
保持部１１は、左右側壁１４とその下部１５を連結する連結部１６とから前面視上開放コの字型に形成されるとともに、その前後方向の長さが、後壁４０と化粧板４３の内面との間に形成される空間の前後方向寸法と略同寸法に設定されている。各側壁１４の左右幅は、給水栓エルボ３０から左右方向に張り出したビス止め片３２の突出幅と略同寸法の幅広に形成されている。この側壁１４の上下方向で略中間位置に、前面から後退したビス止め片３２を嵌め込むための凹部１７が形成され、この凹部１７の後壁１８にビス止め孔１９が形成されている。
【００２２】
したがって、この凹部１７に給水栓エルボのビス止め片３２を嵌め込み、ビスにより固定すれば、ビス止め片３２は、凹部１７の上下壁によって、その動きが規制されるようになっている。
【００２３】
連結部１６は、給水栓エルボビス止め片３２を保持部１１の左右側壁１４の上下方向略中間位置で固定するようにしており、かつ、給水栓エルボ３０の水平管部３１を安定保持するために、連結部１６の上面を水平管部３１の底面に可及的に接近させるよう、その高さが大きく設定されている。具体的には、連結部１６の高さは、給水栓エルボ３０の水平管部３１の半径とほぼ同寸法の高さに設定されている。
【００２４】
上記のように、保持部１１は、その左右側壁１４の左右幅およびその下部を連結する連結部１６の高さ、並びに、これらの前後方向長さが大きく設定されているため、合成樹脂製品であっても、十分な強度を保持している。
【００２５】
連結部１６の上面は、給水栓エルボの水平管部３１を支持するための支持面２０とされ、その後壁側に給水栓エルボ屈曲部３３を支持するために傾斜した状態の屈曲部支持面２１が形成されている。
【００２６】
また、保持部１１の前後面は、化粧板４３の内面および後壁４０と全面で当たるように、これらと平行な垂直面とされ、また、保持部１１の底面は、幅木４２の上面と全面で当たるように、これと平行な水平面とされている。
【００２７】
さらに、保持部１１の左右側壁１４の上部は、化粧板４３との当たりを確保しつつ、上方へ屈曲延設され、この延設部が化粧板４３との上部当たり壁２２を構成するようになっている。したがって、保持部１１の前面は、延設部を含み、面一に設定され、延設部が上方当たり壁として、また、給水栓エルボより下側が下部当たり壁２３として機能するようになっている。
【００２８】
一方、後壁取付け片１２は、後壁４０に取り付けるためのビス孔２４を有し、左右側壁１４の高さと同寸法の長さに設定され、かつ、保持部１１の後面と面一に設定されている。
【００２９】
底壁取付け片１３は、幅木４２に取付けるためのビス孔２５を有し、左右側壁１４の前後方向長さと同寸法に設定され、かつ、保持部の底面と面一に設定されている。これら後壁取付け片１２の下部と底壁取付け片１３の後部とは連続して側面視Ｌ字型の取付け部を構成している。
【００３０】
なお、保持部１１の後面は、後壁取付け片と面一に設定されているが、軽量化を図るため、肉盗み用の凹部が形成されている。
【００３１】
上記構成の取付け具１０は、給水栓エルボ３０のビス止め片３２を保持部１１の側壁凹部１７に嵌め込み、ビス止め固定するとともに、洗面室等の室壁内の後壁４０および幅木４２に、後壁取付け片１２、底壁取付け片１３の両方、あるいはどちらか一方をビス止めして固定する。その後、給水栓エルボ３０の垂直管部に適宜取付けたアダプタ３４を介して給水管４４を配管接続する。
【００３２】
次に、壁間柱４１の前面に化粧板４３を貼り付け、化粧板４３に予め形成された露出穴４５から給水栓エルボ３０の水平管口金３５を露出させ、水平管口金３５にロックナット４６を介して、給水栓４７を螺合して配管作業を完了する。
【００３３】
この給水管４４および給水栓４７の接続時に、これらの部材を管軸周りに回転させて螺合するため、取付け具１０には、給水栓エルボ３０を介して管軸周り（水平管軸周りおよび垂直管軸周り）に回転モ−メントが作用し、その回転力が、後壁取付け片１２および底壁取付け片１３に曲げ応力として作用する。しかしながら、両取付け片１２、１３がＬ字型に連続した態様であり、また、これらが保持部１１の左右側壁１４によって補強された態様であるため、強度的にも強く、曲げ応力にも十分耐え得る。
【００３４】
また、化粧板４３の前面からのロックナット４６の締め付け時には、保持部１１の前面が化粧板４３の内面に当たっており、さらに、上部当たり壁（屈曲延設部）２２により当たり面積が増大しているので、化粧板４３が撓んで見栄えを悪くすることもない。  図１および図３に示す実施形態では、化粧板、後壁および幅木から構成される室壁内の給水栓エルボの取付け態様を例示したが、別の取付け態様として、図４あるいは図５に示すようなものが例示できる。
【００３５】
図４は、床４８に沿って配設された横給水管４４から垂直方向に水を供給するように設置された給水栓エルボ３０を床４８に固定した態様を示す断面図である。本実施形態では、後壁取付け片１２が床４８にビス止め固定されている。この場合の床４８と取付け具１０との接地面は、後壁取付け片１２の後面および保持部の後面であるが、これらは面一に設定されているため、床４８に対する接地面積は十分確保できる。したがって、給水栓エルボ３０を床４８に固定する場合にも強固に取付けることが可能となる。
【００３６】
また、図５は、後壁４０と化粧板４３の内面との間の空間部に給水栓エルボ３０を取付けた態様を示す断面図である。この例は、底壁としての幅木がなく、後壁取付け片１２のみが後壁４０にビス止めされている態様であるが、後壁４０および底壁取付け片１３が側面視連続Ｌ字型に形成され、さらにこれらが左右側壁１４により補強されていることから、十分な取付け強度を確保でき、しかも、取付け具前面に形成された上部および下部当たり壁２２、２３によって、化粧板４３を撓ませることなく給水栓エルボ３０を固定できる。
【００３７】
なお、本発明は、上記実施形態に限定されるものではなく、本発明の範囲内で多くの修正、変更を加えることができるのは勿論である。例えば、上記実施形態では上部当たり壁として、側壁上方に屈曲延設した延設部を設けた構成を示したが、この屈曲延設部がないものであってもよい。また、ビス止め用凹部の形成位置として、側壁の上下方向中間部分を例示したが、側壁上部に形成することもできる。
【００３８】
【発明の効果】
以上の説明から明らかな通り、本発明によると、給水栓エルボ取付け具の保持部および取付け部を合成樹脂により一体成形したので、軽量化を図れるとともに、保持部の肉厚、長さや後壁取付け片および底壁取付け片間の連続性、さらには、側壁の形成等に簡単に対応でき、しかも、取付け強度を確保することができ、曲げ応力にも十分耐え得る取付け具を提供できる。
【００３９】
また、保持部の前後方向長さを壁間柱の前後幅と同等寸法とし、加えて、側壁上部を上方に屈曲延設して当たり壁とすれば、当たり壁の面積が増大し、給水栓を取付ける際の化粧板の撓みを解消できる。
【図面の簡単な説明】
【図１】洗面室の給水配管構造を示す斜視図
【図２】給水栓エルボ取付け具の斜視図
【図３】給水栓エルボ取付け具の室壁設置構造を示す断面図
【図４】給水栓エルボ取付け具の床設置構造を示す断面図
【図５】給水栓エルボ取付け具の室壁設置構造を示す断面図
【図６】従来例１の給水栓エルボ取付け具の斜視図
【図７】従来例２の給水栓エルボ取付け具の斜視図
【符号の説明】
１０    給水栓エルボ取付け具
１１    エルボ管保持部
１２    後壁取付け片
１３    底壁取付け片
２２    上部当たり壁
２３    下部当たり面
３０    給水栓エルボ
３２    ビス止め片
４１    壁間柱
４２    幅木
４３    化粧板
【図１】
0003583692.tif 000002
【図２】
0003583692.tif 000003
【図３】
0003583692.tif 000004
【図４】
0003583692.tif 000005
【図５】
0003583692.tif 000006
【図６】
0003583692.tif 000007
【図７】
0003583692.tif 000008